(57)【要約】  【課題】情報利用者の希望する情報に基づき情報提供者から発信された情報を情報利用者が必要な時に効率良く取得することができるインターネットを利用した情報交換システムを提供する。  【解決手段】管理サーバー２が、インターネットを介して情報提供者が操作する通信端末と、情報利用者が操作する通信端末とに接続されたインターネットを利用した情報交換システムに於て、前記管理サーバー２は前記情報提供者及び前記情報利用者が登録するための登録Ｗｅｂページ９，１０を記憶する第１記憶手段１１と、該情報提供者及び該情報利用者に関するデータを記憶する第２記憶手段１４と、該情報提供者に取得させるための専用Ｗｅｂページ１５，１５…を記憶する第３記憶手段１６と、該情報利用者に取得させるための専用Ｗｅｂページ１７，１７…を記憶する第４記憶手段１８と、該情報提供者に関するデータに基づき該情報利用者に関するデータを検索する検索手段１９とを備えている。【選択図】図２
2005190249.tif 000002
【特許請求の範囲】
【請求項１】
管理サーバーが、インターネットを介して情報提供者が操作する通信端末と、情報利用者が操作する通信端末とに接続されたインターネットを利用した情報交換システムに於て、前記管理サーバーは前記情報提供者及び前記情報利用者が登録するための登録Ｗｅｂページを記憶する第１記憶手段と、該情報提供者及び該情報利用者に関するデータを記憶する第２記憶手段と、該情報提供者に取得させるための専用Ｗｅｂページを記憶する第３記憶手段と、該情報利用者に取得させるための専用Ｗｅｂページを記憶する第４記憶手段と、該情報提供者に関するデータに基づき該情報利用者に関するデータを検索する検索手段とを備えていることを特徴とするインターネットを利用した情報交換システム。
【請求項２】
上記第１記憶手段に記憶される情報提供者登録Ｗｅｂページは情報提供者が登録データを入力するための入力手段を備えていることを特徴とする請求項１記載のインターネットを利用した情報交換システム。
【請求項３】
上記第１記憶手段に記憶される情報利用者登録Ｗｅｂページは情報利用者が登録データを入力するための入力手段を備えていることを特徴とする請求項１又は２記載のインターネットを利用した情報交換システム。
【請求項４】
上記第３記憶手段に記憶される情報提供者専用Ｗｅｂページは上記情報提供者が希望する条件を入力するための入力手段と、上記検索手段によって検索された回答結果を表示する回答表示手段と、該回答表示手段によって表示された上記情報利用者にメッセージを送信するための送信手段とを備えていることを特徴とする請求項１，２又は３記載のインターネットを利用した情報交換システム。
【請求項５】
上記第４記憶手段に記憶される情報利用者専用Ｗｅｂページは上記情報利用者が希望する条件を入力するための入力手段と、上記情報提供者から受信したメッセージを表示する受信表示手段とを備えていることを特徴とする請求項１，２，３又は４記載のインターネットを利用した情報交換システム。
【発明の詳細な説明】
【技術分野】
【０００１】
本発明は、インターネットを利用した情報交換システムに関するものであり、特に、管理サーバーがインターネットを介して、情報提供者が操作する通信端末と、情報利用者が操作する通信端末とに接続されたインターネットを利用した情報交換システムに関するものである。
【背景技術】
【０００２】
従来の此種インターネットを利用した情報交換システムは種々知られているが、例えば特許文献１に記載の情報ネットワークシステムは、顧客及び利用者側が必要とするサービスを通信端末へ入力すると、インターネットを介して接続された情報ネットワークシステム・サーバーに送信され、該情報ネットワークシステム・サーバーによって選別されたのち、インターネットを介してサービス提供施設側の通信端末へ電子掲示板型式で紹介されるもので、サービス提供施設側は取得した情報に基づき顧客及び利用者側に通信端末、又は、電話を通じて案内することができるものである。
【特許文献１】特開２００１−３０６７４２号公報  （第１−７頁、第１−３図）
【発明の開示】
【発明が解決しようとする課題】
【０００３】
然しながら、上記情報ネットワークシステムはサービス提供施設側から直接顧客及び利用者側に通信端末、電話を通じて案内されるため、顧客及び利用者側に多量の情報が送信され迷惑情報になる虞がある。
【０００４】
そこで情報利用者の希望する情報に基づき情報提供者から発信された情報を情報利用者が必要な時に効率良く取得することができるインターネットを利用した情報交換システムを提供するために解決すべき技術的課題が生じてくるのであり、本発明はこの課題を解決することを目的とする。
【課題を解決するための手段】
【０００５】
本発明は上記目的を達成するために提案されたものであり、請求項１記載の発明は、管理サーバーが、インターネットを介して情報提供者が操作する通信端末と、情報利用者が操作する通信端末とに接続されたインターネットを利用した情報交換システムに於て、前記管理サーバーは前記情報提供者及び前記情報利用者が登録するための登録Ｗｅｂページを記憶する第１記憶手段と、該情報提供者及び該情報利用者に関するデータを記憶する第２記憶手段と、該情報提供者に取得させるための専用Ｗｅｂページを記憶する第３記憶手段と、該情報利用者に取得させるための専用Ｗｅｂページを記憶する第４記憶手段と、該情報提供者に関するデータに基づき該情報利用者に関するデータを検索する検索手段とを備えているインターネットを利用した情報交換システムである。
【０００６】
該請求項１記載の発明によれば、前記管理サーバーは情報提供者及び情報利用者が登録することができると共に、該情報提供者及び該情報利用者に関するデータが記憶され、更に、該情報提供者及び該情報利用者に専用Ｗｅｂページを取得させることができ、該情報提供者に関するデータに基づき該情報利用者に関するデータを検索することができる。
【０００７】
又、請求項２記載の発明は、上記第１記憶手段に記憶される情報提供者登録Ｗｅｂページは情報提供者が登録データを入力するための入力手段を備えている請求項１記載のインターネットを利用した情報交換システムである。
【０００８】
該請求項２記載の発明によれば、請求項１記載の発明の効果に加え、該入力手段によって情報提供者の登録に関するデータを入力することができる。
【０００９】
更に、請求項３記載の発明は、上記第１記憶手段に記憶される情報利用者登録Ｗｅｂページは情報利用者が登録データを入力するための入力手段を備えている請求項１又は２記載のインターネットを利用した情報交換システムである。
【００１０】
該請求項３記載の発明によれば、請求項１又は２記載の発明の効果に加え、該入力手段によって情報利用者の登録に関するデータを入力することができる。
【００１１】
そして、請求項４記載の発明は、上記第３記憶手段に記憶される情報提供者専用Ｗｅｂページは上記情報提供者が希望する条件を入力するための入力手段と、上記検索手段によって検索された回答結果を表示する回答表示手段と、該回答表示手段によって表示された上記情報利用者にメッセージを送信するための送信手段とを備えている請求項１，２又は３記載のインターネットを利用した情報交換システムである。
【００１２】
該請求項４記載の発明によれば、請求項１，２又は３記載の発明の効果に加え、前記情報提供者は、前記情報提供者専用Ｗｅｂページの前記入力手段によって情報提供者の希望する条件を入力することができると共に、前記回答表示手段によって、検索された回答結果を確認することができ、更に、前記送信手段によって情報利用者に情報及びメッセージを送信することができる。
【００１３】
又、請求項５記載の発明は、上記第４記憶手段に記憶される情報利用者専用Ｗｅｂページは上記情報利用者が希望する条件を入力するための入力手段と、上記情報提供者から受信したメッセージを表示する受信表示手段とを備えている請求項１，２，３又は４記載のインターネットを利用した情報交換システムである。
【００１４】
該請求項５記載の発明によれば、前記情報利用者は、前記情報利用者専用Ｗｅｂページの前記入力手段によって情報利用者が希望する条件を入力することができると共に、前記受信表示手段によって情報提供者から受信した情報及びメッセージを確認することができる。従って、情報利用者は、必要な時に、自分に送られた必要な情報及びメッセージを効率良く取得することができる。
【発明の効果】
【００１５】
本発明の請求項１記載の発明は、インターネットを利用した情報交換システムに於て、管理サーバーは情報提供者及び情報利用者が登録するための登録Ｗｅｂページを記憶する第１記憶手段と、該情報提供者及び該情報利用者に関するデータを記憶する第２記憶手段と、該情報提供者に取得させるための専用Ｗｅｂページを記憶する第３記憶手段と、該情報利用者に取得させるための専用Ｗｅｂページを記憶する第４記憶手段と、該情報提供者に関するデータに基づき該情報利用者に関するデータを検索する検索手段とを備えているので、該管理サーバーによって、情報提供者及び情報利用者の登録ができると共に、該情報提供者及び該情報利用者に関するデータが記憶され、更に、該情報提供者及び該情報利用者に専用Ｗｅｂページを取得させることができ、該情報提供者に関するデータに基づき該情報利用者に関するデータを検索することができる。
【００１６】
又、請求項２記載の発明は、上記第１記憶手段に記憶される情報提供者登録Ｗｅｂページは情報提供者が登録データを入力するための入力手段を備えているので、請求項１記載の発明の効果に加え、該入力手段によって情報提供者の登録に関するデータを入力することができる。
【００１７】
更に、請求項３記載の発明は、上記第１記憶手段に記憶される情報利用者登録Ｗｅｂページは情報利用者が登録データを入力するための入力手段を備えているので、請求項１又は２記載の発明の効果に加え、該入力手段によって情報利用者の登録に関するデータを入力することができる。
【００１８】
更に又、請求項４記載の発明は、上記第３記憶手段に記憶される情報提供者専用Ｗｅｂページは上記情報提供者が希望する条件を入力するための入力手段と、上記検索手段によって検索された回答結果を表示する回答表示手段と、該回答表示手段によって表示された上記情報利用者にメッセージを送信するための送信手段とを備えているので、請求項１，２又は３記載の発明の効果に加え、前記情報提供者は、前記情報提供者専用Ｗｅｂページの前記入力手段によって情報提供者の希望する条件を入力することができると共に、前記回答表示手段によって、検索された回答結果を確認することができ、更に、前記送信手段によって情報利用者に情報及びメッセージを送信することができる。
【００１９】
そして、請求項５記載の発明は、上記第４記憶手段に記憶される情報利用者専用Ｗｅｂページは上記情報利用者が希望する条件を入力するための入力手段と、上記情報提供者から受信したメッセージを表示する受信表示手段とを備えているので、前記情報利用者は、前記情報利用者専用Ｗｅｂページの前記入力手段によって情報利用者が希望する条件を入力することができると共に、前記受信表示手段によって情報提供者から受信した情報及びメッセージを確認することができる。従って、情報利用者は、情報利用者が希望する情報に基づき、情報提供者から発信された情報を必要な時に効率良く取得することができる等、正に著大なる効果を奏する発明である。
【発明を実施するための最良の形態】
【００２０】
情報利用者の希望する情報に基づき情報提供者から発信された情報を情報利用者が必要な時に効率良く取得することができるインターネットを利用した情報交換システムを提供するために、インターネットを利用した情報交換システムに於て、管理サーバーが情報提供者及び情報利用者が登録するための登録Ｗｅｂページを記憶する第１記憶手段と、該情報提供者及び該情報利用者に関するデータを記憶する第２記憶手段と、該情報提供者に取得させるための専用Ｗｅｂページを記憶する第３記憶手段と、該情報利用者に取得させるための専用Ｗｅｂページを記憶する第４記憶手段と、該情報提供者に関するデータに基づき該情報利用者に関するデータを検索する検索手段とを備える構成とした。
【実施例１】
【００２１】
以下、本発明の一実施の形態を図１乃至図９に従って詳述する。図１に於て、１はインターネットを利用した情報交換システムであり、該インターネットを利用した情報交換システム１は、管理サーバー２がインターネット３を介して、情報提供者が操作する通信端末である複数のコンピュータ４，４…、及び、携帯電話５，５…と、情報利用者が操作する通信端末である複数のコンピュータ６，６…、及び、携帯電話７，７…とに接続自在に構成されており、前記携帯電話５，５…、６，６…は基地局８，８…を介してインターネット３に接続されている。尚、前記携帯電話５，５…、７，７…は機能的に限定されるため、入出力情報が制限される場合がある。
【００２２】
前記情報提供者としては、例えば、飲食店、サービス業店、宿泊施設、物品販売業、公共施設等が考えられ、又は、それらの従業員、営業員又は代表者等個人でも可能である。
【００２３】
又、前記情報利用者としては、前述の飲食店、サービス業店、宿泊施設、物品販売業、公共施設等の利用者、顧客等が考えられる。
【００２４】
そして、前記管理サーバー２は、図２に示す如く、前記情報提供者及び前記情報利用者が登録するためのインターネット上で利用可能なＷｅｂページ９，１０を、例えば、ホームページの一部として、或いは該ホームページに関連づけられたＷｅｂページとして記憶する第１記憶手段１１と、該情報提供者及び該情報利用者に関するデータ１２，１３を記憶する第２記憶手段１４と、情報提供者に取得させるための専用Ｗｅｂページ１５，１５…を記憶する第３記憶手段１６と、情報利用者に取得させるための専用Ｗｅｂページ１７，１７…を記憶する第４記憶手段１８と、該情報提供者に関するデータ１２に基づき該情報利用者に関するデータ１３を検索する検索手段１９とを備え、該検索手段１９によって検索した回答結果を前記情報提供者の専用Ｗｅｂページ１５，１５…に表示するように構成されている。尚、前記第１記憶手段１１、第２記憶手段１４、第３記憶手段１６、第４記憶手段１８はまとめて１個又は数個の記憶手段としても良く、然る時も、同様な効果を得ることができる。
【００２５】
又、前記専用ｗｅｂページ１５，１５…、１７，１７…は前記管理サーバー２と異なる他のサーバー、或いは、プロバイダーのサーバーに記憶させることも可能であり、然る時も同様の効果が期待できる。
【００２６】
そして、前記第１記憶手段１１に記憶される情報提供者登録Ｗｅｂページ９は情報提供者が登録データを入力するための入力手段２０を備えている。
【００２７】
該入力手段２０は、例えば、図３に示す如く、情報提供者のキャッチコピー、店名、住所、電話、Ｆａｘ、メールアドレス、ホームページ、写真、地図及びメッセージ等を選択的に入力するものであり、記述式、或いは、選択式等、適宜方法で入力される。尚、情報は他のＷｅｂページとリンクされていても良い。
【００２８】
更に、図２に示す前記第１記憶手段１１に記憶される前記情報利用者登録Ｗｅｂページ１０は情報提供者が登録データを入力するための入力手段２１を備えている。
【００２９】
該入力手段２１は、例えば、図４に示す如く、情報利用者のキャッチコピー、名前、年齢、住所、勤務地、電話、Ｆａｘ、メールアドレス、写真及びプロフィール等が選択的に入力されるものであり、記述式、或いは、選択式等、適宜方法で入力可能である。
【００３０】
次に、図２に示す前記第３記憶手段１６に記憶される情報提供者専用Ｗｅｂページ１５は前記情報提供者が希望する条件を入力するための入力手段２２と、前記検索手段１９によって検索された回答結果を表示する回答表示手段２３と、該回答表示手段２３によって表示された前記情報利用者にメッセージを送信するための送信手段２４とを備えている。
【００３１】
具体的には、図５に示す如く、前記入力手段２２には、例えば、希望条件入力欄として、目的、開店日時、顧客住所範囲、人数等の入力ができ、前記回答表示手段２３には、例えば、前記希望条件と一致する検索回答の回答欄として情報利用者、キャッチコピー、プロフィール、写真等の情報が表示され、前記送信手段２４は、該情報利用者にメッセージを送信することができるように構成され、検索回答が複数の場合は前述と同様の情報が複数表示される。
【００３２】
又、前記回答表示手段２３には前記情報利用者の情報及びメッセージ等を表示するための受信欄を備えた受信表示手段２５も備えられている。該受信表示手段２５は必要に応じて設けられる。
【００３３】
更に、前記情報提供者専用Ｗｅｂページ１５は前記入力手段２２と前記回答表示手段２３との組み合わせを一組として、必要に応じて複数組を備えることができる。
【００３４】
次に、図２に示す前記第４記憶手段１８に記憶される情報利用者専用Ｗｅｂページ１７は前記情報利用者が希望する条件を入力するための入力手段２６と、前記情報提供者から送信されたメッセージと該情報提供者に関する情報を表示する受信表示手段２７と、前記情報提供者にメッセージを送信できる送信手段２８とを備えている。該送信手段２８は必要に応じて設けられる。
【００３５】
具体的には、図６に示す如く、前記入力手段２６には、例えば、希望条件入力欄として、目的、日時、場所、人数等の入力ができ、前記受信表示手段２７には、例えば、送信した情報提供者、そのキャッチコピー、メッセージ、写真等が表示され、着信情報が複数の場合は前述と同様の情報が複数表示される。尚、着信情報が他のＷｅｂページにリンクされている場合、リンクされた情報の閲覧も可能である。
【００３６】
そして、前記送信手段２８は、前記情報提供者にメッセージを送信することができるように構成されている。尚、図中２９は前記情報提供者から再度送信されてきた時、その送信内容を表示する受信欄であり、必要に応じて設けられる。
【００３７】
更に、前記情報利用者専用Ｗｅｂページ１７は、前記入力手段２６と前記受信表示手段２７との組み合わせを一組として、必要に応じて複数組を備えることができる。
【００３８】
而して、前記管理サーバー２の処理フローを説明すると、図７に示す如く、サーバー用ホームページを公開し（ステップＳ１）、情報提供者の新規登録があると（ステップＳ２）、第２記憶手段(図２に於て１４)に記録し（ステップＳ３）、情報提供者にＩＤ番号及び専用ｗｅｂページ（図２に於て１５）を貸与し（必要によりパスワードも貸与する）（ステップＳ４）、他に情報提供者の新規登録があれば同様の処理を繰り返し、情報提供者の新規登録が終了し（ステップＳ５）、情報利用者の新規登録があれば（ステップＳ６）、第２記憶手段に記憶し（ステップＳ７）、情報利用者にＩＤ及び専用ｗｅｂページ（図２に於て１７）を貸与する（必要によりパスワードも貸与する）（ステップＳ８）。
【００３９】
そして、情報利用者の新規登録が他にあれば同様の処理を繰り返し、情報提供者の新規登録が終了し（ステップＳ９）、情報提供者の希望条件があれば（ステップＳ１０）、第２記憶手段に記録し（ステップＳ１１）、他の情報提供者の希望条件があれば（ステップＳ１２）同様の処理を繰り返し、他の情報提供者の新規希望条件がなく、情報利用者の希望条件があれば（ステップＳ１３）、第２記憶手段に記録し（ステップＳ１４）、他の情報利用者の希望条件があれば（ステップＳ１５）同様の処理を繰り返し、他の情報利用者の新規希望条件がなく、検索を実行する場合は（ステップＳ１６）、情報提供者の情報及び希望条件で情報利用者の情報及び希望条件を検索し（ステップＳ１７）、情報提供者の専用ｗｅｂページの回答欄に検索回答を表示する（ステップＳ１８）。
【００４０】
更に、検索をする場合は同様の処理を繰り返し、検索を終了し（ステップＳ１９）、情報提供者から情報利用者に送信があれば（ステップＳ２０）、情報利用者の専用ｗｅｂページの受信欄に情報提供者の送信内容を表示し（ステップＳ２１）、更に、他の情報提供者から情報利用者に送信があれば（ステップＳ２２）同様の処理を繰り返し、他の情報提供者からの送信がなく、且つ、前記利用者から情報提供者に送信がある場合は（ステップＳ２３）、情報提供者の専用ｗｅｂページの受信欄に情報利用者の送信内容を表示する（ステップＳ２４）。
【００４１】
更に、他の情報利用者から情報提供者に送信があれば（ステップＳ２５）、同様の処理を繰り返し、他の情報利用者から送信がなければステップ２に戻り、同様の処理が繰り返される。尚、前述のステップＳ２からステップＳ２５の処理は定期的に行なうことも可能であり、前述のステップＳ１６からステップＳ１９の検索を定期的に行なうことも可能である。
【００４２】
一方、前記情報提供者側のコンピュータ４，４…、又は、携帯電話５，５…の処理フローを説明すると、図８に示す如く、情報提供者が登録を行なうと（ステップＳ３１）、ＩＤを取得し（必要によりパスワードも取得する）（ステップＳ３２）、更に、専用ｗｅｂページを取得し（ステップＳ３３）、該ＩＤを入力して（必要によりパスワードも入力する）（ステップＳ３４）、専用ｗｅｂページを開き（ステップＳ３５）、希望条件を入力する場合は（２回目以降は変更も可能である）（ステップＳ３６）、希望条件を入力して（ステップＳ３７）、送信する（ステップＳ３８）。尚、前記希望条件は複数入力することも可能である。
【００４３】
そして、検索回答があった時は（ステップＳ３９）、検索回答内に表示されている情報利用者にメッセージを作成し（ステップＳ４０）、情報利用者に送信する（ステップＳ４１）。この時、メッセージと共に、情報提供者の情報も送信される。
【００４４】
又、他の情報利用者に送信する場合は（ステップＳ４２）、ステップＳ４０に戻り同様の処理を繰り返し、送信が終わったら専用ｗｅｂページを閉じる（ステップＳ４３）。
【００４５】
そして、再度、専用ｗｅｂページを開く場合は、ステップＳ３４から同様の処理を行なう。
【００４６】
更に、前記情報利用者側のコンピュータ６，６…、又は、携帯電話７，７…の処理フローを説明すると、図９に示す如く、情報利用者が登録を行なうと（ステップＳ５１）、ＩＤを取得し（必要によりパスワードも取得する）（ステップＳ５２）、更に、専用ｗｅｂページを取得し（ステップＳ５３）、該ＩＤを入力して（必要によりパスワードも入力する）（ステップＳ５４）、専用ｗｅｂページを開き（ステップＳ５５）、希望条件を入力する場合は（２回目以降は変更も可能である）（ステップＳ５６）、希望条件を入力して（ステップＳ５７）、送信する（ステップＳ５８）。尚、前記希望条件は複数入力することも可能である。
【００４７】
そして、情報提供者から着信があった時は（ステップＳ５９）、情報提供者からのメッセージ及び情報を閲覧し（ステップＳ６０）、情報提供者に送信する場合は（ステップＳ６１）、情報提供者にメッセージを作成し（ステップＳ６２）、情報提供者に送信する（ステップＳ６３）。尚、前記ステップＳ６０で情報提供者の情報が他のＷｅｂページにリンクされている場合、リンクされた情報の閲覧も可能である。
【００４８】
又、他の情報提供者に送信する場合は（ステップＳ６４）、ステップＳ６２に戻り、同様の処理を繰り返し、送信が終わったら専用ｗｅｂページを閉じる（ステップＳ６５）。そして、再度、専用ｗｅｂページを開く場合は、ステップＳ５４から同様の処理を行なう。
【００４９】
斯くして、前記情報提供者は、前記情報提供者専用Ｗｅｂページ１５の前記入力手段２２によって情報提供者の希望する条件を入力することができると共に、前記回答表示手段２３によって、検索された回答結果を確認することができ、更に、前記送信手段２４によって情報利用者に情報及びメッセージを送信することができる。
【００５０】
更に、前記情報利用者は、前記情報利用者専用Ｗｅｂページ１７の前記入力手段２６によって情報利用者が希望する条件を入力することができると共に、前記受信表示手段２７によって情報提供者から受信した情報及びメッセージを確認することができる。従って、情報利用者は、情報利用者が希望する情報に基づき、情報提供者から発信された情報を必要な時に効率良く取得することができる。
【００５１】
尚、本発明は、本発明の精神を逸脱しない限り種々の改変を為すことができ、そして、本発明が該改変されたものに及ぶことは当然である。
【図面の簡単な説明】
【００５２】
【図１】本発明の一実施の形態を示し、インターネットを利用した情報交換システムの説明図。
【図２】図１の管理サーバーの説明図。
【図３】図２の情報提供者登録ｗｅｂページの説明図。
【図４】図２の情報利用者登録ｗｅｂページの説明図。
【図５】図２の情報提供者専用ｗｅｂページの説明図。
【図６】図２の情報利用者専用ｗｅｂページの説明図。
【図７】図１の管理サーバーの処理フロー。
【図８】図１の情報提供者が操作するコンピュータ又は携帯電話の処理フロー。
【図９】図１の情報利用者が操作するコンピュータ又は携帯電話の処理フロー。
【符号の説明】
【００５３】
１            インターネットを利用した情報交換システム
２            管理サーバー      
３            インターネット      
９，１０      登録Ｗｅｂページ
１１            第１記憶手段
１４            第２記憶手段
１５，１７      専用Ｗｅｂページ
１６            第３記憶手段
１８            第４記憶手段
１９            検索手段
２０，２１，２２，２６    入力手段
２３            回答表示手段
２４，２８      送信手段
２７            受信表示手段
【図１】
2005190249.tif 000003
【図２】
2005190249.tif 000004
【図３】
2005190249.tif 000005
【図４】
2005190249.tif 000006
【図５】
2005190249.tif 000007
【図６】
2005190249.tif 000008
【図７】
2005190249.tif 000009
【図８】
2005190249.tif 000010
【図９】
2005190249.tif 000011